(57)【特許請求の範囲】
【請求項１】
ワイヤレス通信のための方法であって、
モバイルデバイスによって、第1のワイヤレスワイドエリアネットワーク(WWAN)を介してパケットデータネットワーク（PDN）接続を確立するステップと、
前記PDN接続を前記第1のWWANからワイヤレスローカルエリアネットワーク（WLAN）にオフロードするステップと、
前記WLANにオフロードされている前記モバイルデバイスのすべてのPDN接続とアイドルモードにある前記モバイルデバイスのセルラー無線とに少なくとも部分的に基づいて、第2のWWANにキャンプオンすることを決定するステップと、
無線アクセスネットワーク(RAN)支援情報が利用不可能であることをモバイルデバイスによって決定するステップであって、前記RAN支援情報が、前記モバイルデバイスの前記PDN接続を前記WLANから前記第1のWWANに切り替えるための、しきい値の第1のセットを備えるステップと、
RAN支援情報が利用不可能であることを前記決定するステップに少なくとも部分的に基づいて、前記モバイルデバイスの1つまたは複数のPDN接続を前記第1のWWANに切り替えるためのしきい値の第2のセットにアクセスするステップであって、しきい値の前記第2のセットが、前記モバイルデバイスにおいて事前構成されたしきい値のデフォルトセットを備えるステップと、
しきい値の前記第2のセットに少なくとも部分的に基づいて、前記モバイルデバイスの前記1つまたは複数のPDN接続を前記WLANから前記第1のWWANに切り替えるステップと
を備える方法。
【請求項２】
しきい値の前記第2のセットが、前記WLANもしくは前記第1のWWANに関連する接続品質表示(CQI)、前記WLANおよび/もしくは前記第1のWWANに関連するインターネットアクセシビリティ表示、前記WLANおよび/もしくは前記第1のWWANに関連する信号強度表示、ならびに/または前記モバイルデバイスに関連する電力レベルのうちの1つまたは複数を備える、請求項1に記載の方法。
【請求項３】
前記第1のWWANに切り替えた後の所定の時間期間内に前記モバイルデバイスが前記1つまたは複数のPDN接続を前記WLANに切り戻す可能性を低減するために、しきい値の前記デフォルトセットが十分に大きい値に設定される、請求項1に記載の方法。
【請求項４】
しきい値の前記第2のセットが、前記第1のWWANによって提供されたしきい値のブロードキャストセットを備え、しきい値の前記ブロードキャストセットが前記モバイルデバイスに特有でない、請求項1に記載の方法。
【請求項５】
しきい値の前記ブロードキャストセットを、システム情報ブロック(SIB)を介して前記第1のWWANから受信するステップ
をさらに備える請求項4に記載の方法。
【請求項６】
前記第2のWWANにキャンプオンすることを決定するステップは、前記第1のWWAN上のキャンプオンしており前記第2のWWAN上にキャンプオンしている前記モバイルデバイスに優先順位を付ける表示を受信するステップ
を備える、請求項1に記載の方法。
【請求項７】
前記モバイルデバイスにおいて回線交換（CS）呼び出しを取り損なう確率を低減するために、前記第2のWWANが、モバイル通信(GSM)GSM進化のための拡張データレート(EDGE)無線アクセスネットワーク(GERAN)またはユニバーサルモバイルテレコミュニケーションシステム(UMTS)地上無線アクセスネットワーク(UTRAN)のうちの1つである、
請求項1に記載の方法。
【請求項８】
前記モバイルデバイスが前記第1のWWANに関するRAN支援情報を受信し続けることを可能にするために、前記第2のWWANが、ユニバーサルモバイルテレコミュニケーションシステム(UMTS)地上無線アクセスネットワーク(UTRAN)である、
請求項1に記載の方法。
【請求項９】
ワイヤレス通信のための装置であって、
プロセッサと、
前記プロセッサと電子通信しているメモリとを備え、前記メモリが命令を実施し、前記命令が、
モバイルデバイスによって、第1のワイヤレスワイドエリアネットワーク(WWAN)を介してパケットデータネットワーク（PDN）接続を確立することと、
前記PDN接続を前記第1のWWANからワイヤレスローカルエリアネットワーク（WLAN）にオフロードすることと、
前記WLANにオフロードされている前記モバイルデバイスのすべてのPDN接続とアイドルモードにある前記モバイルデバイスのセルラー無線とに少なくとも部分的に基づいて、第2のWWANにキャンプオンすることを決定することと、
無線アクセスネットワーク(RAN)支援情報が利用不可能であることをモバイルデバイスによって決定することであって、前記RAN支援情報が、前記モバイルデバイスの前記PDN接続を前記WLANから前記第1のWWANに切り替えるための、しきい値の第1のセットを備えることと、
RAN支援情報が利用不可能であることを前記決定するステップに少なくとも部分的に基づいて、前記モバイルデバイスの1つまたは複数のPDN接続を前記第1のWWANに切り替えるためのしきい値の第2のセットにアクセスすることであって、しきい値の前記第2のセットが、前記モバイルデバイスにおいて事前構成されたしきい値のデフォルトセットを備えることと、
しきい値の前記第2のセットに少なくとも部分的に基づいて、前記モバイルデバイスの前記1つまたは複数のPDN接続を前記WLANから前記第1のWWANに切り替えることと
を行うように前記プロセッサによって実行可能である、装置。
【請求項１０】
しきい値の前記第2のセットが、前記WLANもしくは前記第1のWWANに関連する接続品質表示(CQI)、前記WLANおよび/もしくは前記第1のWWANに関連するインターネットアクセシビリティ表示、前記WLANおよび/もしくは前記第1のWWANに関連する信号強度表示、ならびに/または前記装置に関連する電力レベルのうちの1つまたは複数を備える、請求項9に記載の装置。
【請求項１１】
前記第1のWWANに切り替えた後の所定の時間期間内に前記装置が前記1つまたは複数のPDN接続を前記WLANに切り戻す可能性を低減するために、しきい値の前記デフォルトセットが十分に大きい値に設定される、請求項9に記載の装置。
【請求項１２】
しきい値の前記第2のセットが、前記第1のWWANによって提供されたしきい値のブロードキャストセットを備え、しきい値の前記ブロードキャストセットが前記装置に特有でない、請求項9に記載の装置。
【請求項１３】
前記命令が、
しきい値の前記ブロードキャストセットを、システム情報ブロック(SIB)を介して前記第1のWWANから受信すること
をさらに行うように前記プロセッサによって実行可能である、請求項12に記載の装置。
【請求項１４】
命令を記憶する非一時的コンピュータ可読記憶媒体であって、前記命令が、ワイヤレス通信装置に、
モバイルデバイスによって、第1のワイヤレスワイドエリアネットワーク(WWAN)を介してパケットデータネットワーク（PDN）接続を確立することと、
前記PDN接続を前記第1のWWANからワイヤレスローカルエリアネットワーク（WLAN）にオフロードすることと、
前記WLANにオフロードされている前記モバイルデバイスのすべてのPDN接続とアイドルモードにある前記モバイルデバイスのセルラー無線とに少なくとも部分的に基づいて、第2のWWANにキャンプオンすることを決定することと、
無線アクセスネットワーク(RAN)支援情報が利用不可能であることをモバイルデバイスによって決定することであって、前記RAN支援情報が、前記モバイルデバイスの前記PDN接続を前記WLANから前記第1のWWANに切り替えるための、しきい値の第1のセットを備えることと、
RAN支援情報が利用不可能であることを前記決定するステップに少なくとも部分的に基づいて、前記モバイルデバイスの1つまたは複数のPDN接続を前記第1のWWANに切り替えるためのしきい値の第2のセットにアクセスすることであって、しきい値の前記第2のセットが、前記モバイルデバイスにおいて事前構成されたしきい値のデフォルトセットを備えることと、
しきい値の前記第2のセットに少なくとも部分的に基づいて、前記モバイルデバイスの前記1つまたは複数のPDN接続を前記WLANから前記第1のWWANに切り替えることと
をさせるようにプロセッサによって実行可能である、非一時的コンピュータ可読記憶媒体。
【請求項１５】
しきい値の前記第2のセットが、前記WLANもしくは前記第1のWWANに関連する接続品質表示(CQI)、前記WLANもしくは前記第1のWWANに関連するインターネットアクセシビリティ表示、前記WLANおよび/もしくは前記第1のWWANに関連する信号強度表示、ならびに/または前記装置に関連する電力レベルのうちの1つまたは複数を備える、請求項14に記載の非一時的コンピュータ可読記憶媒体。
【発明の詳細な説明】
【技術分野】
【０００１】
相互参照
本特許出願は、2015年5月7日に出願された、Faccinらによる「Wireless Local Area Network Offloading Through Radio Access Network Rules」と題する米国特許出願第14/706,539号、および2014年5月9日に出願された、Faccinらによる「Wireless Local Area Network Offloading Through Radio Access Network Rules」と題する米国仮特許出願第61/991,383号の優先権を主張し、それらの各々は本出願の譲受人に譲渡される。
【０００２】
下記は、一般に、ワイヤレス通信に関し、より詳細には、無線アクセスネットワーク(RAN)規則を通じたワイヤレスローカルエリアネットワーク(WLAN)オフローディングに関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることができる多元接続システムであり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。
【０００４】
一般に、ワイヤレス多元接続通信システムは、各々が複数のモバイルデバイスまたはユーザ機器(UE)のための通信を同時にサポートする、いくつかのアクセスポイントを含み得る。場合によっては、異なるアクセスポイントが、ワイヤレスワイドエリアネットワーク(WWAN)アクセスネットワークまたはWLANを含む、異なるアクセスネットワークに関連付けられ得る。適切なWLANがUEにとって利用可能であるとき、WWAN上のトラフィックの量を低減するために、かつ/または他のWWANユーザのために帯域幅を解放するために、UEの1つまたは複数のパケットデータネットワーク(PDN)接続をWWANからWLANにオフロードすることが望ましい場合がある。たとえば、UEが大量のWWAN帯域幅を消費している(たとえば、ユーザがビデオを視聴している)場合、他のユーザのためにWWAN上のスペクトルを解放するために、利用可能なWLANにUEを切り替えることが望ましい場合がある。
【０００５】
UEが1つまたは複数のPDN接続をWWANとWLANとの間で切り替えるために、WWANおよび/またはWLANは、どのPDN接続がオフローダブルであるのかをUEに通知する必要があり得、PDN接続がいつWLANにオフロードされるべきであるのか、およびいつWWANに切り戻されるべきであるのかに関して、規則および他の情報をUEに提供する必要もあり得る。しかしながら、WLANとWWANとの間でPDN接続が行ったり来たりする切替えを実施するためのオーバーヘッドシグナリングを低減するために、この情報は効率的にUEに提供される必要があり得る。
【発明の概要】
【課題を解決するための手段】
【０００６】
説明する特徴は、一般に、RAN規則を通じたWLANオフローディングのための1つまたは複数の改善されたシステム、方法、および/または装置に関する。UEが1つまたは複数のPDN接続のためにWWANを使用しているとき、WWANは、一実施形態では、UEの動作モードを決定し得、その決定に少なくとも部分的に基づいて、1つもしくは複数のPDN接続に対応するオフローダビリティインジケータ、ならびに/または1つもしくは複数のPDN接続をWWANとWLANとの間で切り替えるかどうか、およびいつ切り替えるのかを決定するために必要とされ得るRAN規則およびRAN支援情報を選択的に送り得るか、または送ることをバイパスし得る。別の実施形態では、WWANは、PDN接続に対応するオフローダビリティインジケータ、ならびに/またはRAN規則およびRAN支援情報をUEへ常に送り得るが、いくつかのPDNが利用可能なWLANにオフローダブルである場合のみ、UEはこの情報を使用してよく、さもなければ、情報を後で使用できるように記憶してよい。UEがすべてのPDN接続を利用可能なWLANにオフロードしたとき、UEはWWANから分離してよく、それによって、PDN接続がWWANにいつ切り戻されるべきかを決定するために必要とされる情報をUEが受信するのを妨げる。したがって、いくつかの実施形態では、1つまたは複数のPDN接続をWWANに切り戻すかどうか、およびいつ切り戻すのかを決定する際に使用するために、UEは、WWANによって同時に提供されず所与のUEに特有でない代替情報にアクセスし得る。また、UEがWWANから分離した後、たとえば、UEがいかなるWWANにも接続されていない場合に取り損なわれ得る回線交換呼出しの確率を低減するために、分離の後に比較的早く、異なるWWANにUEをキャンプオンさせるために、1つまたは複数の方法が使用され得る。
【０００７】
ワイヤレス通信の方法が説明され、方法は、無線アクセスネットワーク(RAN)支援情報が利用不可能であることをモバイルデバイスによって決定することを含み、RAN支援情報が、モバイルデバイスのパケットデータネットワーク(PDN)接続をワイヤレスローカルエリアネットワーク(WLAN)からワイヤレスワイドエリアネットワーク(WWAN)に切り替えるための、しきい値の第1のセットを備える。方法はまた、決定することに少なくとも部分的に基づいて、しきい値の第2のセットにアクセスすることと、しきい値の第2のセットに少なくとも部分的に基づいて、モバイルデバイスのPDN接続をWLANからWWANに切り替えることとを含む。
【０００８】
ワイヤレス通信のための装置が説明され、装置は、無線アクセスネットワーク(RAN)支援情報が利用不可能であると決定するための手段を含み、RAN支援情報が、装置のパケットデータネットワーク(PDN)接続をワイヤレスローカルエリアネットワーク(WLAN)からワイヤレスワイドエリアネットワーク(WWAN)に切り替えるための、しきい値の第1のセットを備える。装置はまた、決定することに少なくとも部分的に基づいて、しきい値の第2のセットにアクセスするための手段と、しきい値の第2のセットに少なくとも部分的に基づいて、装置のPDN接続をWLANからWWANに切り替えるための手段とを含む。
【０００９】
別の装置が説明され、装置は、プロセッサと、プロセッサと電子通信しているメモリとを含む。メモリは命令を実施し、命令は、無線アクセスネットワーク(RAN)支援情報が利用不可能であると決定することであって、RAN支援情報が、装置のパケットデータネットワーク(PDN)接続をワイヤレスローカルエリアネットワーク(WLAN)からワイヤレスワイドエリアネットワーク(WWAN)に切り替えるための、しきい値の第1のセットを備えることと、決定することに少なくとも部分的に基づいて、しきい値の第2のセットにアクセスすることと、しきい値の第2のセットに少なくとも部分的に基づいて、装置のPDN接続をWLANからWWANに切り替えることとを行うようにプロセッサによって実行可能である。
【００１０】
ワイヤレス通信システムにおけるワイヤレス通信装置による通信のためのコンピュータプログラム製品が説明される。コンピュータプログラム製品は、命令を記憶する非一時的コンピュータ可読媒体を含み、命令は、ワイヤレス通信装置に、無線アクセスネットワーク(RAN)支援情報が利用不可能であると決定することであって、RAN支援情報が、装置のパケットデータネットワーク(PDN)接続をワイヤレスローカルエリアネットワーク(WLAN)からワイヤレスワイドエリアネットワーク(WWAN)に切り替えるための、しきい値の第1のセットを備えることと、決定することに少なくとも部分的に基づいて、しきい値の第2のセットにアクセスすることと、しきい値の第2のセットに少なくとも部分的に基づいて、装置のPDN接続をWLANからWWANに切り替えることとをさせるようにプロセッサによって実行可能である。
【００１１】
上記で説明した方法、装置、および/またはコンピュータプログラム製品のいくつかの例では、しきい値の第2のセットが、WLANおよび/もしくはWWANに関連する接続品質表示(CQI:connection quality indication)、WLANおよび/もしくはWWANに関連するインターネットアクセシビリティ表示、WLANおよび/もしくはWWANに関連する信号強度表示、ならびに/またはモバイルデバイスに関連する電力レベルのうちの1つまたは複数を含み得る。しきい値の第2のセットは、モバイルデバイスによってWWANから前に受信された、しきい値のモバイルデバイス特有のセットを含み得、しきい値のモバイルデバイス特有のセットが満了していない場合、しきい値のモバイルデバイス特有のセットが、前記決定することにおいて使用される。
【００１２】
上記で説明した方法、装置、および/またはコンピュータプログラム製品のいくつかの例では、しきい値の第2のセットが、モバイルデバイスにおいて事前構成されたしきい値のデフォルトセットを含み得、WWANに切り替えた後の所定の時間期間内にモバイルデバイスがPDN接続をWLANに切り戻す可能性を低減するために、しきい値のデフォルトセットが十分に大きい値に設定され得る。
【００１３】
上記で説明した方法、装置、および/またはコンピュータプログラム製品のいくつかの例では、しきい値の第2のセットが、WWANによって提供されたしきい値のブロードキャストセットを含み得、しきい値のブロードキャストセットがモバイルデバイスに特有でなく、方法は、しきい値のブロードキャストセットを、システム情報ブロック(SIB:system information block)を介してWWANから受信することをさらに含み得る。
【００１４】
上記で説明した方法、装置、および/またはコンピュータプログラム製品のいくつかの例では、方法は、すべてのPDN接続がWLANにオフロードされ、モバイルデバイスのセルラー無線がアイドルモードにある場合、WWANに関連する無線アクセス技術(RAT)にキャンプオンするようにモバイルデバイスに命令する表示を受信することをさらに含み得、表示が、RATへのモバイルデバイスの接続に優先度を付けるRAT/周波数選択優先度(RFSP:RAT/Frequency Selection Priority)インデックス値を含み得る。モバイルデバイスにおいて回線交換(CS)呼出しを取り損なう確率を低減するために、RATがGERANまたはUTRANのうちの1つであってよく、またはモバイルデバイスがWWANに関するRAN支援情報を受信し続けることを可能にするために、RATがUTRANであってよい。
【００１５】
ワイヤレス通信のための方法が説明され、方法は、モバイルデバイスのパケットデータネットワーク(PDN)接続に対応するオフローダビリティインジケータを、モバイルデバイスにおいて受信することであって、オフローダビリティインジケータが、モバイルデバイスの動作モードにかかわらず受信されることと、PDN接続をワイヤレスワイドエリアネットワーク(WWAN)からワイヤレスローカルエリアネットワーク(WLAN)にオフロードするべきかどうかを決定するために、オフローダビリティインジケータを利用することであって、モバイルデバイスが無線アクセスネットワーク(RAN)支援情報を受信するとき、またはPDN接続をWWANからWLANにオフロードすることに関するしきい値のセットへのアクセスをモバイルデバイスが有するとき、オフローダビリティインジケータが利用されることと、モバイルデバイスがRAN支援情報を受信していないとき、またはオフローディング決定を行う際に使用するためのしきい値のセットへのアクセスをモバイルデバイスが有しないとき、オフローダビリティインジケータを無視することとを含む。
【００１６】
ワイヤレス通信のための装置が説明され、装置は、装置のパケットデータネットワーク(PDN)接続に対応するオフローダビリティインジケータを受信するための手段であって、オフローダビリティインジケータが、装置の動作モードにかかわらず受信される手段と、PDN接続をワイヤレスワイドエリアネットワーク(WWAN)からワイヤレスローカルエリアネットワーク(WLAN)にオフロードするべきかどうかを決定するために、オフローダビリティインジケータを利用するための手段であって、装置が無線アクセスネットワーク(RAN)支援情報を受信するとき、またはPDN接続をWWANからWLANにオフロードすることに関するしきい値のセットへのアクセスを装置が有するとき、オフローダビリティインジケータが利用される手段と、装置がRAN支援情報を受信していないとき、またはオフローディング決定を行う際に使用するためのしきい値のセットへのアクセスを装置が有しないとき、オフローダビリティインジケータを無視するための手段とを含む。
【００１７】
別の装置が説明され、装置は、プロセッサと、プロセッサと電子通信しているメモリとを備える。メモリは命令を実施し、命令は、装置のパケットデータネットワーク(PDN)接続に対応するオフローダビリティインジケータを受信することであって、オフローダビリティインジケータが、装置の動作モードにかかわらず受信されることと、PDN接続をワイヤレスワイドエリアネットワーク(WWAN)からワイヤレスローカルエリアネットワーク(WLAN)にオフロードするべきかどうかを決定するために、オフローダビリティインジケータを利用することであって、装置が無線アクセスネットワーク(RAN)支援情報を受信するとき、またはPDN接続をWWANからWLANにオフロードすることに関するしきい値のセットへのアクセスを装置が有するとき、オフローダビリティインジケータが利用されることと、装置がRAN支援情報を受信していないとき、またはオフローディング決定を行う際に使用するためのしきい値のセットへのアクセスを装置が有しないとき、オフローダビリティインジケータを無視することとを行うようにプロセッサによって実行可能である。
【００１８】
ワイヤレス通信システムにおけるワイヤレス通信装置による通信のためのコンピュータプログラム製品が説明される。コンピュータプログラム製品は、命令を記憶する非一時的コンピュータ可読媒体を含み、命令は、ワイヤレス通信装置に、装置のパケットデータネットワーク(PDN)接続に対応するオフローダビリティインジケータを受信することであって、オフローダビリティインジケータが、装置の動作モードにかかわらず受信されることと、PDN接続をワイヤレスワイドエリアネットワーク(WWAN)からワイヤレスローカルエリアネットワーク(WLAN)にオフロードするべきかどうかを決定するために、オフローダビリティインジケータを利用することであって、装置が無線アクセスネットワーク(RAN)支援情報を受信するとき、またはPDN接続をWWANからWLANにオフロードすることに関するしきい値のセットへのアクセスを装置が有するとき、オフローダビリティインジケータが利用されることと、装置がRAN支援情報を受信していないとき、またはオフローディング決定を行う際に使用するためのしきい値のセットへのアクセスを装置が有しないとき、オフローダビリティインジケータを無視することとをさせるようにプロセッサによって実行可能である。
【００１９】
上記で説明した方法、装置、および/またはコンピュータプログラム製品のいくつかの例では、方法は、たとえモバイルデバイスがRAN支援情報を受信しておらず、かつ/またはオフローディング決定を行う際に使用するためのいかなるしきい値へのアクセスも有しなくても、オフローダビリティインジケータを後で使用できるように記憶することをさらに含み得、モバイルデバイスが、RAN支援情報をモバイルデバイスに確かに提供するWWANに関連する新しいRATに切り替えるとき、PDN接続をWLANにオフロードするべきかどうかを決定するために、オフローダビリティインジケータを利用することをさらに含み得る。
【００２０】
上記で説明した方法、装置、および/またはコンピュータプログラム製品のいくつかの例では、オフローダビリティインジケータは、それを介してオフローダビリティインジケータが受信されたRATに特有であってよく、その場合、方法は、モバイルデバイスが異なるRATに切り替えるとき、異なるRATに対応する更新されたオフローダビリティインジケータを受信することをさらに含み得る。上記で説明した方法、装置、および/またはコンピュータプログラム製品のいくつかの例では、オフローダビリティインジケータは、複数のRATにとって包括的であってよく、複数のRATの第1のRATを介して受信され、その場合、複数のRATの第2のRATに切り替えると、モバイルデバイスが新しいオフローダビリティインジケータを受信しなくてよい。方法は、たとえ第1のRATがRAN支援情報を提供しなくても、オフローダビリティインジケータを後で使用できるように記憶することをさらに含み得る。
【００２１】
ワイヤレス通信のための方法が説明され、方法は、モバイルデバイスの動作モードを決定することと、決定に少なくとも部分的に基づいて、パケットデータネットワーク(PDN)接続に対応するオフローダビリティインジケータを送ることとを含む。
【００２２】
ワイヤレス通信のための装置が説明され、装置は、モバイルデバイスの動作モードを決定するための手段と、決定に少なくとも部分的に基づいて、パケットデータネットワーク(PDN)接続に対応するオフローダビリティインジケータを送るための手段とを含む。
【００２３】
別の装置が説明され、装置は、プロセッサと、プロセッサと電子通信しているメモリとを備える。メモリは命令を実施し、命令は、モバイルデバイスの動作モードを決定することと、決定に少なくとも部分的に基づいて、パケットデータネットワーク(PDN)接続に対応するオフローダビリティインジケータを送ることとを行うようにプロセッサによって実行可能である。
【００２４】
ワイヤレス通信システムにおけるワイヤレス通信装置による通信のためのコンピュータプログラム製品が説明される。コンピュータプログラム製品は、命令を記憶する非一時的コンピュータ可読媒体を含み、命令は、ワイヤレス通信装置に、モバイルデバイスの動作モードを決定することと、決定に少なくとも部分的に基づいて、パケットデータネットワーク(PDN)接続に対応するオフローダビリティインジケータを送ることとをさせるようにプロセッサによって実行可能である。
【００２５】
上記で説明した方法、装置、および/またはコンピュータプログラム製品のいくつかの例では、モバイルデバイスが、WLANオフローディングが許可されるモードにあるとき、オフローダビリティインジケータがモバイルデバイスに送られてよく、かつ/またはモバイルデバイスがIu動作モードにあるとき、オフローダビリティインジケータが無線ネットワークコントローラ(RNC)に選択的に送られてよい。さらに、上記で説明した方法、装置、および/またはコンピュータプログラム製品のいくつかの例では、モバイルデバイスがA/Gb動作モードにあるときなどの、WLANオフローディングが許可されないモードにモバイルデバイスがあるとき、オフローダビリティインジケータを送ることがバイパスされてよい。また、前記決定することは、サービング汎用パケット無線サービスサポートノード(SGSN:Serving General Packet Radio Service Support Node)によって実行されてよい。
【００２６】
説明する方法および装置の適用性のさらなる範囲は、以下の発明を実施するための形態、特許請求の範囲および図面から明らかとなろう。説明の趣旨および範囲内の様々な変更および修正が当業者に明らかとなるので、発明を実施するための形態および具体的な例は、例示として与えられるものにすぎない。
【００２７】
本発明の性質および利点のさらなる理解は、以下の図面を参照することによって実現され得る。添付の図面では、同様の構成要素または特徴は、同じ参照ラベルを有し得る。さらに、同じタイプの様々な構成要素は、同様の構成要素を区別するダッシュおよび第2の符号を参照符号に続けることによって区別され得る。第1の参照符号だけが本明細書で使用される場合、説明は、第2の参照符号にかかわらず、同じ第1の参照符号を有する同様の構成要素のうちのいずれにも適用可能である。
【図面の簡単な説明】
【００２８】
【図１】様々な実施形態によるワイヤレス通信システムの第1のブロック図である。
【図２】様々な実施形態によるワイヤレス通信システムの第2のブロック図である。
【図３】様々な実施形態による、1つまたは複数のPDN接続をオフロードする際に使用するための基地局のブロック図である。
【図４】様々な実施形態による、1つまたは複数のPDN接続をオフロードする際に使用するための基地局のブロック図である。
【図５】様々な実施形態による、1つまたは複数のPDN接続をオフロードする際に使用するためのUEのブロック図である。
【図６】様々な実施形態による、1つまたは複数のPDN接続をオフロードする際に使用するためのUEのブロック図である。
【図７】様々な実施形態による、1つまたは複数のPDN接続をオフロードする際に使用するためのシステムのブロック図である。
【図８】様々な実施形態による、1つまたは複数のPDN接続をオフロードする際に使用するためのシステムのブロック図である。
【図９】様々な実施形態による、1つまたは複数のPDN接続をオフロードする際に使用するためのシグナリングフローの例を示す図である。
【図１０Ａ】様々な実施形態による、1つまたは複数のPDN接続がWLANにどのようにオフロードされ得るのかの例を示す図である。
【図１０Ｂ】様々な実施形態による、1つまたは複数のPDN接続がWLANにどのようにオフロードされ得るのかの例を示す図である。
【図１１Ａ】様々な実施形態による、1つまたは複数のPDN接続がWLANにどのようにオフロードされ得るのかの例を示す図である。
【図１１Ｂ】様々な実施形態による、1つまたは複数のPDN接続がWLANにどのようにオフロードされ得るのかの例を示す図である。
【図１２Ａ】様々な実施形態による、1つまたは複数のPDN接続がWLANにどのようにオフロードされ得るのかの例を示す図である。
【図１２Ｂ】様々な実施形態による、1つまたは複数のPDN接続がWLANにどのようにオフロードされ得るのかの例を示す図である。
【図１３Ａ】様々な実施形態による、1つまたは複数のPDN接続がWLANにどのようにオフロードされ得るのかの例を示す図である。
【図１３Ｂ】様々な実施形態による、1つまたは複数のPDN接続がWLANにどのようにオフロードされ得るのかの例を示す図である。
【図１４Ａ】様々な実施形態による、1つまたは複数のPDN接続がWLANにどのようにオフロードされ得るのかの例を示す図である。
【図１４Ｂ】様々な実施形態による、1つまたは複数のPDN接続がWLANにどのようにオフロードされ得るのかの例を示す図である。
【図１５Ａ】様々な実施形態による、1つまたは複数のPDN接続が異なるWWANにどのように移動し得るのかの例を示す図である。
【図１５Ｂ】様々な実施形態による、1つまたは複数のPDN接続が異なるWWANにどのように移動し得るのかの例を示す図である。
【図１６】様々な実施形態による、1つまたは複数のPDN接続をオフロードする際に使用するための方法のフローチャートである。
【図１７】様々な実施形態による、1つまたは複数のPDN接続をオフロードする際に使用するための方法のフローチャートである。
【図１８】様々な実施形態による、1つまたは複数のPDN接続をオフロードする際に使用するための方法のフローチャートである。
【発明を実施するための形態】
【００２９】
一般に、1つまたは複数のPDN接続をWLANにオフロードするための、1つまたは複数の改善されたシステム、方法、および/または装置に関する特徴が説明される。UEがWWANを伴う1つまたは複数のPDN接続を有するとき、WWANは、一実施形態では、UEの動作モードを決定し得、その決定に少なくとも部分的に基づいて、1つもしくは複数のPDN接続に対応するオフローダビリティインジケータ、ならびに/または1つもしくは複数のPDN接続をWWANとWLANとの間で切り替えるかどうか、およびいつ切り替えるのかを決定するために必要とされ得るRAN規則およびRAN支援情報を選択的に送り得るか、または送ることをバイパスし得る。別の実施形態では、WWANは、PDN接続に対応するオフローダビリティインジケータ、ならびに/またはRAN規則およびRAN支援情報をUEへ常に送り得るが、いくつかのPDNがオフローダブルである場合、かつ/または適切なWLANが利用可能である場合、UEはこの情報を使用するだけであってよく、さもなければ、情報を後で使用できるように記憶してよい。UEがすべてのPDN接続をWLANにオフロードする場合、UEはWWANから分離してよく、そのことが、PDN接続がWWANにいつ切り戻されるべきかを決定するために必要とされる情報をUEが受信するのを妨げることがある。したがって、いくつかの実施形態では、1つまたは複数のPDN接続をWWANに切り戻すかどうか、およびいつ切り戻すのかを決定する際に使用するために、UEは、WWANによって同時に提供されない、またはUEに特有でない、代替情報にアクセスし得る。また、UEがWWANから分離した後、たとえば、UEがいかなるWWANにも接続されていない場合に取り損なわれ得る回線交換呼出しの確率を低減するために、1つまたは複数のポリシーが、分離の後に比較的早く、異なるWWANにUEがキャンプオンするように仕向け、またはキャンプオンさせ得る。
【００３０】
したがって、以下の説明は例を提供するものであり、特許請求の範囲に記載された範囲、適用可能性、または構成を限定するものではない。本開示の趣旨および範囲から逸脱することなく、説明する要素の機能および構成において変更が行われ得る。様々な実施形態は、様々な手順または構成要素を、適宜に省略し、置換し、または追加することができる。たとえば、説明される方法は説明されるものと異なる順序で実行されてよく、様々なステップが追加され、省略され、または組み合わされてよい。また、いくつかの実施形態に関して説明する特徴は、他の実施形態では組み合わされてよい。
【００３１】
最初に図1を参照すると、図は、ワイヤレス通信システム100の一例を示す。ワイヤレス通信システム100は、基地局105(eNB、NBなどであってよい)およびWLANアクセスポイント140などの複数のアクセスポイント、ユーザ機器(UE)115などのいくつかのモバイルデバイス、ならびにコアネットワーク130を含む。アクセスポイント105、140のうちのいくつかは、基地局コントローラ(図示せず)の制御下でUE115と通信し得、基地局コントローラは、様々な例では、コアネットワーク130の一部またはある種のアクセスポイントであってよい。アクセスポイント105、140のうちのいくつかは、バックホールリンク132を通じてコアネットワーク130と制御情報および/またはユーザデータを通信し得る。いくつかの例では、アクセスポイント105、140のうちのいくつかは、ワイヤード通信リンクまたはワイヤレス通信リンクであってよいバックホールリンク134上で、互いに直接または間接的に通信し得る。ワイヤレス通信システム100は、複数のキャリア(異なる周波数の波形信号)上での動作をサポートし得る。マルチキャリア送信機は、被変調信号を複数のキャリア上で同時に送信することができる。たとえば、各通信リンク125、128は、様々な無線技術に従って変調されたマルチキャリア信号であってよい。各被変調信号は、異なるキャリア上で送られてよく、制御情報(たとえば、基準信号、制御チャネルなど)、オーバーヘッド情報、データなどを搬送し得る。
【００３２】
アクセスポイント105、140は、1つまたは複数のアクセスポイントアンテナを介してUE115とワイヤレス通信し得る。アクセスポイント105、140の各々は、それぞれの地理的なカバレージエリア110に通信カバレージを提供し得る。いくつかのアクセスポイントは、1つまたは複数のWWANへのアクセスを提供し得、これらのアクセスポイントは、ベーストランシーバステーション(BTS)、無線基地局、無線トランシーバ、基本サービスセット(BSS)、拡張サービスセット(ESS)、ノードB、発展型ノードB(eNB)、ホームノードB、ホームeノードBなどを含む、基地局105と呼ばれることがある。いくつかの実施形態では、そのような各基地局105は、WWANに関連する1つまたは複数の無線アクセス技術(RAT)へのアクセスを提供し得る。他のアクセスポイント140は、1つまたは複数のWLANへのアクセスを提供し得、これらのアクセスポイントは、WiFiルータなどを含む、WLANアクセスポイント140と呼ばれることがある。いくつかの実施形態では、各WLANアクセスポイント140は、WLANに関連する1つまたは複数のRATへのアクセスを提供し得る。概して、WLANは、WWANよりも小さい地理的なカバレージエリア110を有することがある。たとえば、WLANの地理的なカバレージエリアは、WLANアクセスポイント140から10メートル〜100メートルに広がることがあり、その一方で、WWANの地理的なカバレージエリアは、基地局105から数千メートルに広がることがある。同じもしくは異なる無線技術を利用する同じもしくは異なるタイプのアクセスポイント105、140のカバレージエリアを含む、かつ/または同じもしくは異なるアクセスネットワークに属する、異なるアクセスポイント105、140のカバレージエリアが、オーバーラップすることがある。
【００３３】
いくつかの例では、ワイヤレス通信システム100は、LTE/LTE-A通信システムまたはネットワークを含んでよい。LTE/LTE-A通信システムでは、発展型ノードB(eNB)という用語は、一般に、アクセスポイント105を記述するために使用され得る。ワイヤレス通信システム100はまた、異なるタイプのeNBが様々な地理的領域にカバレージを提供する異種LTE/LTE-Aネットワークであってよい。たとえば、各eNB105は、マクロセル、ピコセル、フェムトセル、および/または他のタイプのセルに通信カバレージを提供し得る。マクロセルは、一般に、比較的大きい地理的エリア(たとえば、半径数キロメートル)をカバーし、ネットワークプロバイダを伴うサービスに加入しているUEによる無制限アクセスを可能にし得る。ピコセルは、一般に、比較的小さい地理的エリアをカバーすることになり、ネットワークプロバイダを伴うサービスに加入しているUEによる無制限アクセスを可能にし得る。フェムトセルも、一般に、比較的小さい地理的エリア(たとえば、自宅)をカバーすることになり、無制限アクセスに加えて、フェムトセルとの関連付けを有するUE(たとえば、限定加入者グループ(CSG:closed subscriber group)中のUE、自宅の中のユーザ用のUEなど)による制限付きアクセスも提供し得る。マクロセル用のeNBはマクロeNBと呼ばれることがある。ピコセル用のeNBはピコeNBと呼ばれることがある。そして、フェムトセル用のeNBは、フェムトeNBまたはホームeNBと呼ばれることがある。eNBは、1つまたは複数(たとえば、2つ、3つ、4つなど)のセルをサポートし得る。
【００３４】
コアネットワーク130は、バックホールリンク132(たとえば、S1など)を介してアクセスポイント105、140と通信し得る。アクセスポイント105、140はまた、たとえば、バックホールリンク134(たとえば、X2など)を介して、かつ/またはバックホールリンク132を介して(たとえば、コアネットワーク130を通じて)、直接または間接的に互いに通信し得る。ワイヤレス通信システム100は、同期動作または非同期動作をサポートし得る。同期動作の場合、アクセスポイントは、類似のフレームタイミングを有し得、異なるアクセスポイントからの送信は、時間的に概ね位置合わせされ得る。非同期動作の場合、アクセスポイントは、異なるフレームタイミングを有し得、異なるアクセスポイントからの送信は、時間的に位置合わせされないことがある。本明細書で説明する技法は、同期動作または非同期動作のいずれかのために使用され得る。
【００３５】
UE115は、ワイヤレス通信システム100全体にわたって分散されてよく、各UE115は、固定またはモバイルであってよい。UE115はまた、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれ得る。UE115は、セルラーフォン、携帯情報端末(PDA)、ワイヤレスモデム、ハンドヘルドデバイス、タブレットコンピュータ、ラップトップコンピュータ、コードレス電話、ワイヤレスローカルループ(WLL)局などであってよい。UEは、マクロeNB、ピコeNB、フェムトeNB、リレーなどと通信できる場合がある。UEは、セルラーまたは他のWWANもしくはWLANなどの異なるアクセスネットワーク上で通信できる場合もある。
【００３６】
図1におけるUE115-aを一例として取り上げると、基地局105-aへの通信リンク125は、アップリンク(UL)送信を搬送するためのアップリンク(たとえば、UE115-aからアクセスポイント105-aへ)および/またはダウンリンク(DL)送信を搬送するためのダウンリンク(たとえば、アクセスポイント105-aからUE115-aへ)を含み得る。UL送信は逆方向リンク送信と呼ばれることもあり、DL送信は順方向リンク送信と呼ばれることもある。UE115-aからWLANアクセスポイント140への通信リンク128も、同様にアップリンクおよび/またはダウンリンクを含み得る。
【００３７】
UE115は、いくつかの実施形態では、2つ以上の異なるタイプのアクセスポイントを含む、2つ以上のアクセスポイントと同時に通信し得る。いくつかの実施形態では、UE115-aなどのUE115は、UEの1つまたは複数のPDN接続の一部または全部のトラフィックがWLANに(たとえば、WLAN AP140に)オフロードされ得るか、またはオフロードされるべきであると決定すること、ならびにWWANのPDN接続(たとえば、eNB105-aとのPDN接続)上でデータを送信および受信するのを控えることによって、UE115-aにおけるデータ接続性を管理し得る。トリガリングイベントを検出することに応答して、UE115-aは、その後、利用可能なWWANとの1つまたは複数のPDN接続を再確立し得る。UE115におけるデータ接続性の管理が、以下でさらに詳細に説明される。
【００３８】
PDN接続がWWANからWLANにオフロードされ得、随意にWWANに切り戻され得るシステム100などのシステムでは、考慮されることが必要なこともあり必要でないこともあるような転送の、いくつかの態様がある。たとえば、LTE上で回線交換フォールバック(CSFB:Circuit Switched Fall Back)を使用するキャリアにとって、PDN接続がWLANにオフロードされる時にUEがLTE接続から確実に分離しないことが重要であり得る - さもなければ、CSFBはもはや利用可能でないことがある。別の例として、UEが依然としてLTE接続に接続されたままである場合、LTE RAN支援情報しかUEにとって利用可能であり得ない。UTRAN接続に接続されているとき、UEは、トラフィックをLTE接続に向け戻すことにとって有用でない、3G RAN支援情報しか受信し得ない。場合によっては、様々なRAT間でのその半レガシー状態に起因して、GERAN接続上でRAN支援が提供されない場合がある。また、いくつかの事例では、PDNがオフローダブルであるか否かにかかわらず、オフローダビリティインジケータをUEへ送るためにNASシグナリングが使用され得る - そして、このオフローダビリティインジケータは、UEがいくつかの動作モードで動作するときだけ意味があり得、他の動作モードではそうでない。またさらに、いくつかの事例では、たとえば、ユニキャストRRCの中でRAN支援をどのUEへ送るべきかをRNCが決定することを可能にするために、SGSNは、UEコンテキストの中でSGSNからRANへインジケータを送ることを必要とする場合がある。UEがGERAN接続においてRAN支援情報を受信しない場合、SGSNは、RNCだけに情報を送り得るが、いくつかの実施形態では、BSCには送り得ない。またさらに、いくつかの事例では、PDN接続のオフローディングに関する情報を提供するために、アクセスネットワーク発見および選択機能(ANDSF:Access Network Discovery and Selection Function)が利用可能でないことがあり、代わりに、事業者が、オフローダビリティ情報を通信するためにRANシグナリングに依拠する必要があり得る。これらの考察は、いくつかの実装形態だけにおいて適用可能であり得、それらは添付の特許請求の範囲の要件であるものとして読み取られるべきでない。
【００３９】
次に図2を参照すると、ワイヤレス通信システム200が示される。ワイヤレス通信システム200は、UE115-b、強化型パケットコア(EPC)130-a、1x/HRPDパケットコア130-b、ならびにいくつかのアクセスポイント105、140、いくつかのコントローラ205、いくつかのゲートウェイ210、およびいくつかのPDN235を含む。アクセスポイントのうちのいくつかは、LTEアクセスネットワークに関連するeNB基地局105-b、UTRANに関連する基地局105-c、GERANに関連する基地局105-d、第1のWLANに関連するWLANアクセスポイント140-a-1、第2のWLANに関連するWLANアクセスポイント105-a-2などの基地局105を含み得る。
【００４０】
強化型パケットコア130-aは、モバイル管理エンティティ(MME)およびサービングゲートウェイ(SGW)を実装するいくつかのデバイス205-aを含み得る。代替として、MMEおよびSGWのうちの1つまたは複数は、別個のデバイスに実装されてもよい。SGWは、1つまたは複数のパケットデータネットワークゲートウェイ(PDN-GW)210-a-1、210-a-2と通信していてよい。PDN-GW210-a-1、210-a-2の各々は、1つまたは複数のPDN235と通信していてよい。
【００４１】
eNB105-a-1は、MME/SGWデバイス205-aへの直接接続を通じてEPC130-aにアクセスし得る。UTRAN BS105-cは、無線ネットワークコントローラ(RNC)205-bと通信していてよく、無線ネットワークコントローラ(RNC)205-bは、MME/SG205-aを通じてEPC130-aにアクセスするためにサービングGPRSサポートノード(SGSN)215と通信し得る。第1のWLANアクセスポイント140-a-1は、発展型パケットデータゲートウェイ(ePDG)205-dと通信し得、発展型パケットデータゲートウェイ(ePDG)205-dは、PDN-GW210-aを通じたEPC130-aへのアクセスを提供し得る。第2のWLAN AP140-a-2は、EPC130-aをバイパスしてよく、直接IPアドレス指定を通じて直接PDN235と通信し得る。GERAN BS105-dは、BSC205-eと通信していてよく、BSC205-eは、コアネットワーク130-b(たとえば、1x/HRPDコアネットワーク)と通信していてよい。コアネットワーク130-bは、PDN235のうちの1つまたは複数と通信していてよい。
【００４２】
eNB105-b、UTRAN BS105-c、およびGERAN BS105-dの各々は、WWANへのアクセスを提供し得、その一方で、WLAN AP140-a-1、140-a-2の各々は、WLANへのアクセスを提供し得る。eNB105-a-1は、LTE WWANへのアクセスを提供し得、その一方で、UTRAN BS105-cおよびGERAN BS105-dは、非LTE WWANへのアクセスを提供し得る。
【００４３】
いくつかの実施形態では、UE115-bなどのUE115は、eNB105-b、UTRAN BS105-c、GERAN BS105-d、WLAN AP140-a-1、WLAN AP140-a-2、および/または他のアクセスポイントのうちの2つ以上とPDN接続を確立し得る(たとえば、UE115-bは、多重アクセスPDN接続性(MAPCON:multi-access PDN connectivity)をサポートし得る)。異なるアクセスネットワーク上のPDN接続は、異なるアクセスポイント名(APN)を使用して確立され得る。いくつかの実施形態では、UE115は、2つ以上のアクセスポイントとPDN接続を同時に確立または維持し得る。
【００４４】
UE115-bなどのUE115は、アクセスネットワークにアクセスしてデータ接続性を確立するための優先権を有し得る。優先権は、ネットワーク事業者ポリシーに基づいてよい。優先権を使用して、UE115-bは、1つまたは複数の利用可能なネットワーク上でのデータ接続性を確立してデータ接続性を維持し得る。
【００４５】
図3は、様々な実施形態による、1つまたは複数のPDN接続をWLANにオフロードする際に使用するための基地局105-eのブロック図300を示す。図3における基地局105-eは、たとえば、図1および図2に示す基地局105、105-a、105-b、105-c、105-dのうちの1つであってよい。図3に示す基地局105-eは、受信機310、オフローディングモジュール315、および送信機320を含む。基地局105-eはまた、プロセッサを含んでよい。これらの構成要素の各々は、互いに通信していてよい。
【００４６】
基地局105-eの構成要素は、個別にまたは集合的に、適用可能な機能の一部または全部を実行するように適合された1つまたは複数の特定用途向け集積回路(ASIC)とともに、ハードウェアの中に実装されてよい。代替として、機能は、1つまたは複数の集積回路上で、1つまたは複数の他の処理ユニット(または、コア)によって実行されてもよい。他の実施形態では、当技術分野で知られている任意の方法でプログラムされ得る他のタイプの集積回路(たとえば、ストラクチャード/プラットフォームASIC、フィールドプログラマブルゲートアレイ(FPGA)、および他のセミカスタムIC)が使用されてよい。各ユニットの機能はまた、全体的または部分的に、1つまたは複数の汎用プロセッサまたは特定用途向けプロセッサによって実行されるようにフォーマットされた、メモリの中で具現化された命令を用いて実装されてよい。
【００４７】
受信機310は、パケット、ユーザデータ、および/または様々な情報チャネル(たとえば、制御チャネル、データチャネルなど)に関連する制御情報などの情報を受信し得る。情報は、オフローディングモジュール315に、また基地局105-eの他の構成要素に伝えられ得る。たとえば、受信機310は、様々なUEとのどのPDN接続が、利用可能なWLANにいつオフロードされるべきかに関する情報を受信し得る。
【００４８】
オフローディングモジュール315は、1つまたは複数のUE115の、1つまたは複数のPDN接続に関するオフローディング情報を提供するように構成され得る。たとえば、オフローディングモジュール315は、各UE115のPDN接続ごとに、利用可能な場合、そのPDN接続がWLANにオフロードされ得るかどうかを示すオフローダビリティインジケータを提供するように構成され得る。オフローディングモジュールはまた、PDN接続のWLANへの可能なオフローディングと、基地局105-eに関連するWWANへのこれらのPDN接続の再切戻しとに関する、RAN規則およびRAN支援情報を提供するように構成され得る。
【００４９】
送信機320は、基地局105-eの他の構成要素から受信された1つまたは複数の信号を送信し得る。たとえば、送信機320は、特定のPDN接続に対応するオフローダビリティインジケータを、1つまたは複数のUEへNASシグナリングを使用して送信し得る。いくつかの実施形態では、MME205-a、SGSN215、ポリシーおよび課金規則機能(PCRF:Policy and Charging Rules Function)などのうちの1つまたは複数によって行われる、特定のPDNがオフローダブルであるべきか否かという決定を用いて、オフローダビリティインジケータがEPC130-aからUEに送られてよい。
【００５０】
送信機320はまた、UEへRAN規則およびRAN支援情報を送信し得る。RAN規則は、PDN接続がWWANからWLANにオフロードされるべき、および/またはWWANに切り戻されるべき条件のセットであり得る。たとえば、あるRAN規則は、適切なWLAN信号が利用可能である場合、PDN接続が一般にそのWLANにオフロードされるべきであるということであってよい。別の規則は、WLAN信号強度は弱いが好適に強いWWAN信号が利用可能である場合、WLANを通じて現在サービスされているPDN接続がWWANに切り戻されるべきであるということであってよい。いくつかの実施形態では、RAN規則は、EPC130-a(すなわち、PDN接続ハンドオーバーにおいて)と非シームレスWLANオフロード(NSWO:Non-Seamless WLAN Offload)を介した直接IP接続の両方への、PDN接続のモビリティをカバーし得る。
【００５１】
RAN支援情報は、これらの転送がいつ起こるべきかについてのしきい値を含み得る。1つもしくは複数のPDN接続が維持されるべき、または別のアクセスポイントへ転送されるべき異なるしきい値を、異なるアクセスポイントが有し得ることが諒解されよう。したがって、そのような転送が行われるべき条件の一般的なセットをRAN規則が規定する一方、RAN支援情報は、PDN接続を確立したまたは確立する基地局およびUEに特有である。いくつかの実施形態では、送信機320は、トランシーバモジュールの中で受信機310と同じ場所に配置されてよい。送信機は、1つまたは複数のワイヤレスプロトコル - たとえば、LTE、WiFi、DSRCなど、を介して、パケットおよび情報を送信し得る。
【００５２】
まだ図3を参照すると、いくつかの実施形態では、基地局105-e(たとえば、オフローディングモジュール315、または代替として、SGSN215)は、UE115の動作モードを決定するように構成され得、決定に少なくとも部分的に基づいて、特定のPDN接続に対応する上記で説明したオフローダビリティインジケータを送り得る。たとえば、いくつかの実施形態では、WLANオフローディングが許可されるモードでUE115が動作しているときのみ(たとえば、UEがIu動作モードまたはLTE動作モードにあるときのみ)、オフローダビリティインジケータがUE115へ送られてよい。たとえば、UEがIu動作モードにありUTRAN BS105-cに接続されている場合、オフローダビリティインジケータは、図2に示すRNC205-bに提供され得る。RNCおよびUTRAN BS105-cは、UE115にRAN規則および/またはRAN支援情報を送るべきかどうかを決定するために、受信されたインジケータを利用し得る。代替実施形態では、直ちに使用するために、かつ/または後で使用できるように記憶されるために、オフローダビリティインジケータはUE115に提供され得る。ただし、WLANオフローディングが許可されないモードにUE115がある場合 - UE115がGERAN BS105-dとのA/GB動作モードにある場合など、オフローダビリティインジケータを送ることはバイパスされてよい。
【００５３】
図4は、様々な実施形態による、1つまたは複数のPDN接続をWLANにオフロードする際に使用するための基地局105-fのブロック図400を示す。基地局105-fは、たとえば、図1〜図3に示す基地局105、105-a、105-b、105-c、105-d、105-eのうちの1つであってよく、図2を参照しながら説明した基地局105-eの1つまたは複数の態様の一例であってよい。図3に示す基地局105-fは、受信機310、オフローディングモジュール315-a、および送信機320を含む。基地局105-fはまた、プロセッサを含んでよい。これらの構成要素の各々は、互いに通信していてよい。図4におけるオフローディングモジュール315-aは、RFSPモジュール405、SIBブロードキャストモジュール410、およびNASブロードキャストモジュール415を含む。
【００５４】
基地局105-fの構成要素は、個別にまたは集合的に、適用可能な機能の一部または全部を実行するように適合された1つまたは複数の特定用途向け集積回路(ASIC)とともに、ハードウェアの中に実装されてよい。代替として、機能は、1つまたは複数の集積回路上で、1つまたは複数の他の処理ユニット(または、コア)によって実行されてもよい。他の実施形態では、当技術分野で知られている任意の方法でプログラムされ得る他のタイプの集積回路(たとえば、ストラクチャード/プラットフォームASIC、フィールドプログラマブルゲートアレイ(FPGA)、および他のセミカスタムIC)が使用されてよい。各ユニットの機能はまた、全体的または部分的に、1つまたは複数の汎用プロセッサまたは特定用途向けプロセッサによって実行されるようにフォーマットされた、メモリの中で具現化された命令を用いて実装されてよい。
【００５５】
受信機310は、図3を参照しながら上記で説明したように、パケット、ユーザデータ、および/または様々な情報チャネル(たとえば、制御チャネル、データチャネルなど)に関連する制御情報などの情報を受信し得る。情報は、オフローディングモジュール315-aに、また基地局105-fの他の構成要素に伝えられ得る。オフローディングモジュール315-aは、図3に示すオフローディングモジュール315を参照しながら上記で説明した動作を実行するように構成され得る。送信機320は、図3を参照しながら上記で説明したように、基地局105-fの他の構成要素から受信された1つまたは複数の信号を送信し得る。
【００５６】
RFSPモジュール405、SIBブロードキャストモジュール410、およびNASブロードキャストモジュール415はすべて、基地局105-fに関連するWWANへの様々なUEの接続、および/またはWLAN AP140へのそれらの接続に関する情報を、受信、提供、および/または分析するように構成され得る。RFSPモジュール405は、たとえば、GERAN、UTRAN、またはLTEなどの特定の無線アクセス技術(RAT)へのUE115の接続に優先度を付け得るRAN/周波数選択優先度インデックス情報を提供し得る。一実施形態では、たとえば、すべてのPDN接続がWLANにオフロードされ、UEのセルラー無線がそれによってアイドルモードに置かれる場合、RFSPモジュール405は、基地局105-fのWWANに関連するRATにキャンプオンするための表示を、UE115に(送信機320を通じて)提供するように構成され得る。このことは、UE115がLTEなどの特定のRATに接続しようと試みることに何度も続けて失敗することを防止し得、代わりに、たとえば、CSFB着呼を取り損なう可能性を低減するように、UEにできるだけ速くGERAN/UTRAN接続に再接続させ得る。RFSPモジュール405は、そのようにRFSPインデックスを作り出す際の従来のファクタを考慮し得るだけでなく、PDN接続のオフローディングも考慮し得る - 詳細には、UE115がすべてのPDN接続をWLANにオフロードするか否かにかかわらず、RFSPインデックスは、UTRANおよび/またはGERANにキャンプオンすることが強制されるようであってよい。別の実施形態では、UE115は、セルラーネットワークに再接続するための決定を行う前に、RAN支援情報を読み取ってよい。再接続の前にRAN支援情報を読み取ることは、トラフィックのすべてをWLANにオフロードした後の、WLANとセルラーネットワークとの間のピンポニング(ping ponging)を防止し得る。
【００５７】
SIBブロードキャストモジュール410は、基地局105-f向けのSIBブロードキャストメッセージの中で、オフローディング情報 - 一般化されたRAN支援しきい値など、を提供するように構成され得る。これらの一般化されたしきい値は、個々のUE115に特有でないことがあるが、UEが特定のWWANに接続されていない場合、いくつかのUE115によって使用されてよい。NASブロードキャストモジュール415はまた、NASシグナリングを通じてオフローディング情報を提供するように構成され得る。たとえば、NASブロードキャストモジュール415は、アクティブな各PDN接続がWLANにオフロードされ得るか否かに関するオフローダビリティインジケータを(たとえば、個々のUE115に)提供し得る。
【００５８】
図5は、様々な実施形態による、1つまたは複数のPDN接続をWLANにオフロードし得るUE115-cのブロック図500を示す。図5におけるUE115-cは、たとえば、図1および図2に示すUE115、115-a、115-bのうちの1つであってよい。図5に示すUE115-cは、受信機310、しきい値モジュール505、および送信機320を含む。UE115-cはまた、プロセッサを含んでよい。これらの構成要素の各々は、互いに通信していてよい。いくつかの実施形態では、UE115-cは、ボイスオーバーLTE(VoLTE)をサポートしてよく、その一方で、他の実施形態では、UE115-cは、回線交換(CS)または回線交換フォールバック(CSFB)呼出しだけをサポートしてもよい。
【００５９】
UE115-cの構成要素は、個別にまたは集合的に、適用可能な機能の一部または全部を実行するように適合された1つまたは複数の特定用途向け集積回路(ASIC)とともに、ハードウェアの中に実装されてよい。代替として、機能は、1つまたは複数の集積回路上で、1つまたは複数の他の処理ユニット(または、コア)によって実行されてもよい。他の実施形態では、当技術分野で知られている任意の方法でプログラムされ得る他のタイプの集積回路(たとえば、ストラクチャード/プラットフォームASIC、フィールドプログラマブルゲートアレイ(FPGA)、および他のセミカスタムIC)が使用されてよい。各ユニットの機能はまた、全体的または部分的に、1つまたは複数の汎用プロセッサまたは特定用途向けプロセッサによって実行されるようにフォーマットされた、メモリの中で具現化された命令を用いて実装されてよい。
【００６０】
受信機310は、パケット、ユーザデータ、および/または様々な情報チャネル(たとえば、制御チャネル、データチャネルなど)に関連する制御情報などの情報を受信し得る。情報は、しきい値モジュール505に、またUE115-cの他の構成要素に伝えられ得る。いくつかの実施形態では、受信機310は、UE115-cが基地局105またはWLAN AP140のいずれかとともに有する1つまたは複数のアクティブなPDN接続のオフローダビリティに関するオフローダビリティインジケータ、RAN規則、および/またはRAN支援情報を受信し得る。一例では、すべてのPDN接続が利用可能なWLANにオフロードされ、UEのセルラー無線がアイドルモードにされる場合、受信機310は、基地局105のWWANに関連するいくつかのRATにキャンプオンするようにUE115-cに命令する表示(たとえば、図4におけるRFSPモジュール405から発信される)を受信し得る。上述のように、この表示は、特定のRATへのUEの接続に優先度を付け得る - たとえば、UE115-cがCSFB接続を介した電話呼出し、または任意の他の回線交換情報を取り損なう確率を低減するために、表示はGERAN接続またはUTRAN接続に優先度を付け得る。代替として、UE115-cが基地局105のWWANに関するRAN支援情報を受信し続けることを可能にするために(たとえば、そのようなRAN支援情報がGERAN RATを介して提供されない場合)、表示はUTRAN接続に優先度を付けてもよい。
【００６１】
しきい値モジュール505は、オフローダビリティインジケータ、RAN規則、および/またはRAN支援情報(しきい値など)を受信、提供、および/または分析し、いくつかのPDN接続をWWANとUE115-cにとって利用可能なWLANとの間で切り替えるかどうか、およびいつ切り替えるのかを決定するように構成され得る。WWANとの少なくとも1つのアクティブなPDN接続を伴うそれらの場合、しきい値モジュール505は、WWANに関連する基地局105から、現在の、UE115-c特有のRAN支援情報を受信し得、この現在の、UE特有の情報に基づいて、いくつかのPDN接続がWLANに切り替えられるべきかどうか、またはWWANに切り戻されるべきかどうかという、どちらかの決定を行い得る。しかしながら、他の実施形態では(そのうちの多くが以下で説明される)、UE115-cは、RAN支援情報などの、現在の、UE特有の情報へのアクセスを有しないことがある。たとえば、UE115-cのすべてのPDN接続がWLAN AP140にオフロードされている場合、またはUE115-cの残りのPDN接続だけが、RAN支援情報をUE115-cに提供しないことがあるGERAN RAT上にある場合、このことは本当であり得る。これらの状況では、UE115-cは、1つまたは複数のPDN接続のオフローディングに関する決定を行うために利用され得る代替情報へのアクセスを有し得る。たとえば、UE115-cは、受信された支援情報の最新のセットを利用し得る。
【００６２】
たとえば、まだ図5を参照すると、一実施形態では、UE115-cのしきい値モジュール505は、RAN支援情報が利用不可能であると決定してよく、その場合、RAN支援情報は、UEのPDN接続をWLANからWWANに切り戻すためのしきい値の第1のセットを含む。しきい値モジュール505は、現在の、UE115-c特有のRAN支援情報が利用可能でないという決定に少なくとも部分的に基づいて、しきい値の第2の代替セットにアクセスし得る。しきい値モジュール505は、次いで、しきい値の第2のセットに少なくとも部分的に基づいて、UE115-cのPDN接続をWLANからWWANに切り戻すべきか否かを決定し得る。
【００６３】
まだ図5を参照すると、一実施形態では、UE115-cは、モバイルデバイスのPDN接続に対応するオフローダビリティインジケータを受信し得、オフローダビリティインジケータは、UE115-cの動作モードにかかわらず受信される。もしUE115-cがRAN支援情報を現在受信しているとき、またはUE115-cがオフローディング決定を行う際に使用するためのしきい値のセットへのアクセスを有するとき、UE115-c(たとえば、しきい値モジュール505)は、PDN接続をWWANからWLANにオフロードするべきかどうかを決定するために、受信されたオフローダビリティインジケータを利用し得る。しかしながら、UE115-cがRAN支援情報を同時に受信しておらず、かつ/またはオフローダビリティ決定を行う際に使用するためのしきい値のセットへのアクセスを有しない場合、UE115-cは、受信されたオフローダビリティインジケータを無視してよい。PDN接続がWLANにオフロードされるべきかどうか、またはWWANに維持される/切り戻されるべきかどうかを決定する際に、UE115-cは、受信されたRAN規則およびRAN支援情報(たとえば、しきい値)と一緒に、受信されたオフローダビリティインジケータを使用してよい。
【００６４】
送信機320は、UE115-cの他の構成要素から受信された1つまたは複数の信号を送信し得る。たとえば、送信機320は、データをアップリンク接続上でアクセスポイント105、140に送信し得る。
【００６５】
図6は、様々な実施形態による、1つまたは複数のPDN接続をWLANにオフロードし得るUE115-dのブロック図600を示す。図6におけるUE115-dは、たとえば、図1〜図2または図5に示すUE115、115-a、115-b、115-cのうちの1つであってよく、図5を参照しながら説明したUE115-cの1つまたは複数の態様の一例であってよい。図6に示すUE115-dは、受信機310、しきい値モジュール505-a、および送信機320を含む。UE115-dはまた、プロセッサを含んでよい。これらの構成要素の各々は、互いに通信していてよい。図6におけるしきい値モジュール505-aは、デフォルトしきい値モジュール605、前しきい値モジュール610、SIBしきい値モジュール615、およびオフローダビリティインジケータモジュール620を含む。
【００６６】
UE115-dの構成要素は、個別にまたは集合的に、適用可能な機能の一部または全部を実行するように適合された1つまたは複数の特定用途向け集積回路(ASIC)とともに、ハードウェアの中に実装されてよい。代替として、機能は、1つまたは複数の集積回路上で、1つまたは複数の他の処理ユニット(または、コア)によって実行されてもよい。他の実施形態では、当技術分野で知られている任意の方法でプログラムされ得る他のタイプの集積回路(たとえば、ストラクチャード/プラットフォームASIC、フィールドプログラマブルゲートアレイ(FPGA)、および他のセミカスタムIC)が使用されてよい。各ユニットの機能はまた、全体的または部分的に、1つまたは複数の汎用プロセッサまたは特定用途向けプロセッサによって実行されるようにフォーマットされた、メモリの中で具現化された命令を用いて実装されてよい。
【００６７】
受信機310は、図5を参照しながら上記で説明したように、パケット、ユーザデータ、および/または様々な情報チャネル(たとえば、制御チャネル、データチャネルなど)に関連する制御情報などの情報を受信し得る。情報は、しきい値モジュール505-aに、またUE115-dの他の構成要素に伝えられ得る。しきい値モジュール505-aは、図5に示すしきい値モジュール505を参照しながら上記で説明した動作を実行するように構成され得る。送信機320は、図5を参照しながら上記で説明したように、UE115-dの他の構成要素から受信された1つまたは複数の信号を送信し得る。
【００６８】
デフォルトしきい値モジュール605、前しきい値モジュール610、SIBしきい値モジュール615、およびオフローダビリティインジケータモジュール620はすべて、PDN接続が利用可能なWLANにオフロードされるべきか、WWANに切り戻されるべきか、それともWWAN上またはWLAN上で維持されるべきかを決定する際に使用するための情報を、受信、分析、および/または提供するように構成され得る。デフォルトしきい値モジュール605、前しきい値モジュール610、およびSIBしきい値モジュール615は、詳細には、そのような情報がUE115-dにとって利用可能でない場合、現在の、UE特有のRAN支援情報の代わりに代替しきい値を提供するために使用され得る。デフォルトしきい値モジュール605は、たとえば、UE115-dにおいて事前構成されたしきい値のデフォルトセットを記憶し得る。UE115-fが所定の時間期間内にPDN接続をWWAN/WLANからWLAN/WWANに切り戻す可能性を低減するために、しきい値のこのデフォルトセットは、十分に大きい(または、小さい)値に設定されてよい。たとえば、WWAN接続への切替えの所定の時間内(たとえば、1秒)にPDN接続がWLAN接続に切り戻す可能性が低く(たとえば、5%未満の見込み)なるように、しきい値のデフォルトセットは厳密に設定され得る。そうすることは、WLANとWWANとの間でのPDN接続に対する「ピンポニング」を回避する助けとなり得る。
【００６９】
前しきい値モジュール610は、UE115-dによって前に受信されたしきい値のセット、たとえば、アクセスポイントによって前に送られたRAN支援しきい値を記憶し得る。前に受信されたしきい値のセットは満了時間を含んでよく、ならびに/または前しきい値モジュール610は、前に受信されたしきい値を、それらを廃棄する前のいくらかの時間の期間の間だけ保持および/もしくは使用してよい。SIBしきい値モジュール615は、予期されるWWANによって提供されたしきい値のブロードキャストセット(たとえば、図4におけるSIBブロードキャストモジュール410からの)を、UE115-dまたはいかなるUE115にも特有でないしきい値のブロードキャストセットとともに受信および処理してよい。
【００７０】
オフローダビリティインジケータモジュール620は、オフローダビリティインジケータ(たとえば、図4におけるNASブロードキャストモジュール415から受信される)を受信、記憶、および/または処理するように構成され得る。たとえば、たとえUE115-dがRAN支援情報を同時に受信しておらず、かつ/またはオフローディング決定を行う際に使用するためのいかなるしきい値へのアクセスも有しなくても、オフローダビリティインジケータモジュール620は、受信されたオフローダビリティインジケータを、後で使用できるように記憶し得る。この例では、UE115-dが、RAN支援しきい値をUE115-dに確かに提供するRATに切り替えたときに、PDN接続をWLANにオフロードするべきかどうかを決定するために、オフローダビリティインジケータモジュール620は、記憶されたオフローダビリティインジケータを後で利用するように構成され得る。
【００７１】
いくつかの実施形態では、オフローダビリティインジケータモジュール620によって受信されるオフローダビリティインジケータは、それを介してオフローダビリティインジケータが受信されたRATに特有であってよく、UE115-dが異なるRATに切り替えるときに、更新されたオフローダビリティインジケータがWWANによって提供され得る。他の実施形態では、UE115-dが新しいRATに切り替えるとき、WWANが新しいオフローダビリティインジケータを送ることを必要としないように、オフローダビリティインジケータは複数の異なるRATにとって包括的であってよい。それを介してインジケータが受信されたRATがたとえRAN支援情報を提供しなくても、異なるRAT間でのオフローダビリティインジケータの再使用を可能にするために、オフローダビリティインジケータモジュール620は、包括的なオフローダビリティインジケータを記憶し得る。随意に、オフローダビリティインジケータモジュール620はまた、記憶された任意のオフローダビリティインジケータに関連する満了を、後で使用できるように記憶し得る。再び、上記で説明したように、PDN接続がWLANにオフロードされるべきかどうか、またはWWANに維持される/切り戻されるべきかどうかを決定する際に、UE115-dは、受信されたオフローダビリティインジケータを、受信されたRAN規則およびRAN支援情報(たとえば、しきい値)とともに使用し得る。いくつかの実施形態では、UE115-dにとって利用可能な様々なしきい値が階層的に使用されてよい。たとえば、有効なRAN支援情報が利用可能である場合、UE115-dは、PDN接続オフローディング決定を行う際にその情報を使用してよい。利用可能でない場合、UE115-dは、UE115-dによって前に(最後に)受信されたしきい値などの、しきい値の次善のセットを使用してよい。それらが利用可能でない場合、UE115-dは、SIBブロードキャストメッセージの中でブロードキャストされる包括的なしきい値を使用してよく、それらが利用可能でない場合、UE115-dにおいて事前構成されているデフォルトしきい値を使用してよい。単に記載された階層が単なる一例であること、およびしきい値データの任意の階層が使用されてよいことが理解されよう。
【００７２】
図7は、様々な実施形態による、1つまたは複数のPDN接続をオフロードする際に使用するためのシステム700のブロック図を示す。システム700は、図1〜図2および図5〜図6におけるUE115、115-a、115-b、115-c、115-dの例であってよいUE115-e-1、115-e-2を含む。システム700はまた、図1〜図4における基地局105、105-a、105-b、105-c、105-d、105-e、105-fの一例であってよい基地局105-gを含む。システム700はまた、図1〜図2におけるWLAN AP140、140-aの一例であってよいWLAN AP140-bを含む。
【００７３】
図7に示すUE115-e-1は、アンテナ740、トランシーバモジュール735、プロセッサモジュール705、およびメモリ715(ソフトウェア(SW)720を含む)を含み、それらはそれぞれ、互いに直接または間接的に通信し得る(たとえば、1つまたは複数のバス745を介して)。トランシーバモジュール735は、上記で説明したように、アンテナ740および/または1つもしくは複数のワイヤレス通信リンクを介して、1つもしくは複数の基地局105-g、1つもしくは複数のWLAN AP140-b、または他のノードと双方向に通信するように構成され得る。トランシーバモジュール735は、パケットを変調し、変調されたパケットを送信のためにアンテナ740に供給し、アンテナ740から受信されたパケットを復調するように構成されたモデムを含み得る。いくつかの実施形態では、UE115-e-1は単一のアンテナ740を含んでよいが、UE115-e-1は、代替として、複数のワイヤレス送信を同時に送信および/または受信することができる複数のアンテナ740を有し得る。トランシーバモジュール735は、1つもしくは複数の基地局105-gおよび/または1つもしくは複数のWLAN AP140-bと、そのように同時に通信することができる場合がある。
【００７４】
メモリ715は、ランダムアクセスメモリ(RAM)および/または読取り専用メモリ(ROM)を含み得る。メモリ715は、実行されたとき、プロセッサモジュール705に、本明細書で説明する様々な機能(たとえば、オフローディング決定を行い、かつ/または実行する)を実行させるように構成された命令を含む、コンピュータ可読コンピュータ実行可能のソフトウェア/ファームウェアコード720を記憶し得る。代替として、ソフトウェア/ファームウェアコード720は、プロセッサモジュール705によって直接実行可能でなくてよく、コンピュータに(たとえば、コンパイルおよび実行されたとき)本明細書で説明する機能を実行させるように構成されてもよい。プロセッサモジュール705は、インテリジェントハードウェアデバイス、たとえば、中央処理装置(CPU)、マイクロコントローラ、特定用途向け集積回路(ASIC)などを含み得、ランダムアクセスメモリ(RAM)および読取り専用メモリ(ROM)を含み得る。メモリ715は、図6を参照しながら上記で説明したように、代替しきい値情報を記憶し得るデータキャッシュを含み得る。
【００７５】
UE115-e-1はまた、デフォルトしきい値モジュール605、前しきい値モジュール610、SIBしきい値モジュール615、オフローダビリティインジケータモジュール620を含み、それらは、図6に示し上記で説明したそれぞれのデフォルトしきい値モジュール605、前しきい値モジュール610、SIBしきい値モジュール615、およびオフローダビリティインジケータモジュール620の例であってよく、図5を参照しながら上記で示し説明したしきい値モジュール505の一例であってよいしきい値モジュールを一緒に形成し得る。
【００７６】
図8は、様々な実施形態による、1つまたは複数のPDN接続をオフロードする際に使用するためのシステム800の図を示す。システム800は、上記で説明した基地局105、105-a、105-b、105-c、105-d、105-e、105-f、105-gの例であってよい基地局105-h、805-a-1、805-a-2を含む。システム800はまた、上記で説明したUE115、115-a、115-b、115-c、115-d、115-eの一例であってよいUE115-fを含む。
【００７７】
基地局105-hは、アンテナ845、トランシーバモジュール850、メモリ880、およびプロセッサモジュール870を含み得、それらがそれぞれ、互いに直接または間接的に通信していてよい(たとえば、1つまたは複数のバスを介して)。トランシーバモジュール850は、アンテナ845を介してUE115-fならびに他のUE(図8に示さず)と双方向に通信するように構成され得る。トランシーバモジュール850(および/または基地局105-dの他の構成要素)はまた、1つまたは複数のネットワークと双方向に通信するように構成され得る。場合によっては、基地局105-hは、ネットワーク通信モジュール875を通じてコアネットワーク130-aおよび/またはコントローラ820-と通信し得る。基地局105-hは、eノードB基地局、ホームeノードB基地局、ノードB基地局、および/またはホームノードB基地局の一例であってよい。コントローラ820は、場合によっては、eノードB基地局を伴うような基地局105-hに統合され得る。
【００７８】
基地局105-hはまた、基地局805-a-1および基地局805-a-2などの他の基地局105と通信し得る。基地局105、805-a-1、805-a-2の各々は、異なる無線アクセス技術などの異なるワイヤレス通信技術を使用して、1つまたは複数のUEと通信し得る。場合によっては、基地局105-hは、基地局通信モジュール865を利用して805-a-1および/または805-a-2などの他の基地局と通信し得る。いくつかの実施形態では、基地局通信モジュール865は、基地局105-h、805-a-1、805-a-2のうちのいくつかの間での通信を提供するために、LTEワイヤレス通信技術内のX2インターフェースを提供し得る。いくつかの実施形態では、基地局105-hは、コントローラ820および/またはコアネットワーク130-bを通じて他の基地局と通信し得る。
【００７９】
メモリ880は、ランダムアクセスメモリ(RAM)および読取り専用メモリ(ROM)を含み得る。メモリ880はまた、実行されたとき、プロセッサモジュール870に、本明細書で説明する様々な機能を(たとえば、呼出し処理、データベース管理、メッセージルーティングなど)実行させるように構成された命令を含む、コンピュータ可読コンピュータ実行可能のソフトウェアコード885を記憶し得る。代替として、ソフトウェアコード885は、プロセッサモジュール870によって直接実行可能でなくてよく、コンピュータに、たとえば、コンパイルおよび実行されたとき、本明細書で説明する機能を実行させるように構成されてもよい。
【００８０】
プロセッサモジュール870は、インテリジェントハードウェアデバイス、たとえば、中央処理装置(CPU)、マイクロコントローラ、特定用途向け集積回路(ASIC)などを含み得る。トランシーバモジュール850は、パケットを変調し、変調されたパケットを送信のためにアンテナ845に供給し、アンテナ845から受信されたパケットを復調するように構成されたモデムを含み得る。基地局105-hのいくつかの例は単一のアンテナ845を含んでよいが、基地局105-hは、キャリアアグリゲーションをサポートし得る複数のリンク用の複数のアンテナ845を含むことが好ましい。たとえば、1つまたは複数のリンクが、UE115とのマクロ通信をサポートするために使用され得る。
【００８１】
図8のアーキテクチャによれば、基地局105-hは、通信管理モジュール860をさらに含み得る。通信管理モジュール860は、他の基地局105との通信を管理し得る。例として、通信管理モジュール860は、基地局105-hの他の構成要素の一部または全部とバスを介して通信している、基地局105-hの構成要素であってよい。代替として、通信管理モジュール860の機能は、トランシーバモジュール850の構成要素として、コンピュータプログラム製品として、かつ/またはプロセッサモジュール870の1つもしくは複数のコントローラ要素として実装されてもよい。
【００８２】
図8における基地局105-hはまた、RFSPモジュール405、SIBブロードキャストモジュール410、およびNASブロードキャストモジュール415を含み、それらは、図4に示し上記で説明したそれぞれのRFSPモジュール405、SIBブロードキャストモジュール410、およびNASブロードキャストモジュール415の例であってよく、図3を参照しながら上記で示し説明したオフローディングモジュール315の一例であってよいオフローディングモジュールを一緒に形成し得る。
【００８３】
図9は、様々な実施形態による、1つまたは複数のPDN接続をオフロードする際に使用するためのUE115-gと基地局105-iとの間のシグナリングフローの図900を示す。UE115-gは、上記で説明したUE115、115-a、115-b、115-c、115-d、115-e、115-fの一例であってよく、基地局105-iは、上記で説明した基地局105、105-a、105-b、105-c、105-d、105-e、105-f、105-g、105-hの一例であってよい。UE115-gは、UE115-gがPDN接続の開始を望むことを示すPDN接続要求905を、基地局105-iに送信し得る。それに応答して、基地局105-iは、UE115-gにPDN接続パラメータ910を送り、これにより、UE115-gおよび基地局105-iがPDN接続を開始することが可能になり得る。
【００８４】
基地局はまた、上記で説明したように、オフローダビリティインジケータ915をUE115-gにNASシグナリングを介して送り得る - たとえば、オフローダビリティステータスインジケータは、PDN接続活動化要求への受付メッセージにおけるベアラコンテキストステータスIEの中で提供され得る。いくつかの事例では、PDN接続に関連するオフローダビリティインジケータは、そのPDN接続が開始するとUE115-gに送られてよいが、他の実施形態では、オフローダビリティインジケータは後で送られてもよい。いくつかの実施形態では、UE115-gが基地局105-iとの異なるRAT接続に切り替える場合、特定のWWANまたはWLANにあまりにも多数の接続、またはあまりにも大量のトラフィック要求がある場合など、いくつかの変更に応答して、更新されたオフローダビリティインジケータが後でUE115-gに送られてよい。更新されたオフローダビリティインジケータは、いくつかの実施形態では、UE115-gへのNASメッセージにおける更新されたベアラコンテキストステータスの中で提供され得る。いくつかの例では、メッセージ905、910、および915は、サービングGPRSサポートノード(SGSN)とモビリティ管理エンティティ(MME)との間で送られてよく、かつ/または受信されてよい。
【００８５】
いくつかの実施形態では、基地局105-iは、オフローダビリティインジケータを常に送る - すなわち、基地局105-iは、UE115-gと基地局105-iとの間の通信モードにかかわらずオフローダビリティインジケータを送る。これらの実施形態では、たとえUE115-gがA/Gb動作モードにあっても、オフローダビリティインジケータは依然として送られてよく、UE115-gは後で(すなわち、Iu動作モードまたはLTE動作モードにある基地局105-iにUE115-gが後で接続する場合に)使用できるように、インジケータを単に記憶してよい。しかしながら、他の実施形態では、基地局105-iは、各UE115-gに関連する動作モードを最初に決定してよく、UEがある種の動作モード - WLANオフローディングが許可される動作モードなど、にある場合のみ、それぞれのPDN接続に関連するオフローダビリティインジケータを送ってよい。
【００８６】
基地局105-iはまた、いくつかの実施形態では、RANシグナリングを使用してRAN規則920およびRAN支援情報925をUE115-gに送ってよい。上記で説明したように、たとえUE115-gがいかなるPDN接続もオフロードできなくても、UE115-gは、基地局105-iから受信されたRAN規則および/またはRAN支援情報を後で使用できるように記憶し得る。
【００８７】
図10A、図10B、図11A、図11B、図12A、図12B、図13A、図13B、図14A、図14Bは、UE115-hの1つまたは複数のPDN接続が、eNB基地局105-jからWLAN AP140-cにどのようにオフロードされ得るかという例を提供し、図15Aおよび図15Bは、1つまたは複数のPDN接続が、eNB/LTE基地局105-jから非LTE基地局105-kにどのように移動され得るかという例、およびそのような移動の影響を示す。
【００８８】
最初に図10Aを参照すると、図は、UE115-hがeNB基地局105-jとのCSFB PDN接続AおよびインターネットPDN接続Bを有し得るワイヤレス通信システム1000-aの構成を示す。PDN接続AおよびBは、eNB基地局105-jに関連するWWANを介して異なるAPNに接続し得る。eNB基地局105-jおよびWLAN AP140-cの各々はEPC130-cへの接続を有し得、EPC130-cはPDN235-aへの接続を有し得る。ワイヤレス通信システム1000-a、UE115-h、eNB基地局105-j、WLAN AP140-c、EPC130-a、およびPDN235-aは、上記で説明したそれぞれの通信システム、UE、基地局、WLAN Ap、EPC、およびPDNの1つまたは複数の態様の例であってよい。
【００８９】
ワイヤレス通信システム1000-aの動作中のいくつかの時点において、トリガリングイベントが、PDN接続のうちの1つをeNB105-jからWLAN AP140-cにオフロードさせ得る。たとえば、トリガリングイベントは、WLANがLTE WWANにまさって好まれるという、UE115-hのアクセス管理モジュールによる決定を含み得る。他の場合には、トリガリングイベントは、UE115-hまたはUE115-hのユーザにおいて実行しているアプリケーションの活動状態(たとえば、要求)を含み得る。図10Aでは、トリガリングイベントは、NSWOを介してWLAN APにトラフィックを移動させるための要求である。
【００９０】
図10Bは、上記で説明したNSWOトリガリングイベントから得られ得るワイヤレス通信システム1000-bの構成を示す図である。構成において、UE115-hは、eNB105-jとのCSFB用のPDN接続Aを維持するが、UE115-hにおけるインターネットアプリケーション用のトラフィックは、NSWOを介してWLAN AP140-cに移動する。この例では、UE115-hは、CSFB用の残りのPDN接続AのためにLTE WWANから分離しないことがある。したがって、ボイスサービスの中断があり得ず、同様に、UE115-hがLTE WWANからRAN支援情報を受信し続けることに関する問題があり得ない。
【００９１】
図11Aおよび図11Bは、PDN接続A(CSFB)が非オフローダブルとして指定されていること、およびPDN接続B(インターネット)がオフローダブルとして指定されていることを除いて、図10Aおよび図10Bに示すシステム1000-a、1000-bと類似のワイヤレス通信システム1100-a、1100-bの構成を示す図である。また、図11Aおよび図11Bにおけるトリガリングイベントは、PDNハンドオーバーを介して(NSWOを介する代わりに)、PDN接続BをWLAN AP140-cにオフロードさせ得る。しかしながら、依然としてUE115-hからLTE WWANへのアクティブなPDN接続(接続A)があるので、ボイスサービス中断があり得ず、UE115-hがLTE WWANからRAN支援情報を受信し続けることに関する問題があり得ない。
【００９２】
図12Aおよび図12Bは、図12Aおよび図12BではPDN接続AとPDN接続Bの両方がオフローダブルとして指定されていることを除いて、図11Aおよび図11Bに示すシステム1100-a、1100-bと類似のワイヤレス通信システム1200-a、1200-bの構成を示す図である。トリガリングイベントがPDNハンドオーバーを介してPDN接続AおよびBをWLAN AP140-cにオフロードさせた後、UE115-hは、eNB105-jのLTE WWANから分離し得る。この事例では、UE115-hが迅速にWWANに再接続しない場合、CSベースのサービス、および/またはWLAN AP140-cにオフロードされるPDNトラフィックのWWANへの偶発的な切戻しを容易にするためのRAN支援情報を受信することのうちの、一方または両方の中断があり得る。したがって、上記で説明したように、UE115-hは、たとえば、UTRANまたはGERANのRATを含み得る非LTE基地局105-kにUE115-hをキャンプオンさせ得るeNB基地局105-jから、RFSPインデックス情報を受信し得る。非LTE基地局105-kがLTE eNB105-jと物理的に別個であるものとして図12Aおよび図12Bに示される一方、いくつかの実施形態では、eNB105-jおよび非LTE BS105-kがまったく同一の基地局であり得るが、それらのそれぞれのWWANサービスにおいて異なるRATを使用し得ることが諒解されよう。
【００９３】
図13Aおよび図13Bは、図13Aおよび図13Bではボイスサービス用にVoLTEが(すなわち、CSFBの代わりに)使用されること、およびVoLTE用のPDN接続Aが非オフローダブルとして指定されていることを除いて、図11Aおよび図11Bに示すシステム1100-a、1100-bと類似のワイヤレス通信システム1300-a、1300-bの構成を示す図である。この例では、依然としてUE115-hからLTE WWANへのアクティブなPDN接続(接続A)があるので、たとえPDN接続BがWLAN APにオフロードされても、ボイスサービス中断があり得ず、UE115-hがLTE WWANからRAN支援情報を受信し続けることに関する問題があり得ない。
【００９４】
図14Aおよび図14Bは、図14Aおよび図14Bではボイスサービス用にVoLTEが使用されること、およびPDN接続A(VoLTE)とPDN接続B(インターネット)の両方がオフローダブルとして指定されていることを除いて、図12Aおよび図12Bに示すシステム1200-a、1200-bならびに図13Aおよび図13Bに示すシステム1300-a、1300-bと類似のワイヤレス通信システム1400-a、1400-bの構成を示す図である。したがって、トリガリングイベントがPDNハンドオーバーを介してPDN接続AおよびBをWLAN AP140-cにオフロードさせた後、UE115-hは、eNB105-jのLTE WWANから分離し得る。この事例では、UE115-hが迅速にWWANに再接続しない場合、たとえば、WLAN AP140-cにオフロードされているPDNトラフィックの、WWANへの偶発的な切戻しを容易にするためのRAN支援情報を受信することの中断があり得る。したがって、上記で説明したように、UE115-hは、たとえば、UTRANまたはGERANのRATを含み得る非LTE基地局105-kにUE115-hをキャンプオンさせ得るeNB基地局105-jから、RFSPインデックス情報を受信し得る。
【００９５】
図15Aおよび図15Bは、図15Aおよび図15BではPDN接続AおよびBがWLAN APの代わりに非LTE WWAN105-kにオフロードされることを除いて、図10Aおよび図10Bに示すシステム1000-a、1000-bと類似のワイヤレス通信システム1500-a、1500-bの構成を示す図である。このシナリオでは、UE115-hがLTE WWAN105-jに接続されていた時に受信されたオフローダビリティインジケータは、上記で説明したように、オフローディング決定を行うために、記憶されていてよく、非LTE BS105-kから受信されるRAN支援情報と一緒に依然として使用されてよい。
【００９６】
図16は、様々な実施形態による、PDN接続をWLANからWWANに切り替える方法を示すフローチャート1600を示す。フローチャート1600の機能は、上記で説明したUE115のいずれかによって実施され得る。
【００９７】
ブロック1605において、UEが、RAN支援情報が利用不可能であると決定し得、ここで、RAN支援情報は、UEの特定のPDN接続をWLANからWWANに切り戻すためのしきい値の第1のセットを含む。ブロック1610において、UEは、ブロック1605の決定(上記で説明したような)に少なくとも部分的に基づいて、しきい値の第2の代替セットにアクセスし得、ブロック1615において、UEは、ブロック1610においてアクセスされたしきい値の第2のセットに少なくとも部分的に基づいて、PDN接続をWLANからWWANに切り戻し得る。
【００９８】
フローチャート1600の方法が、方法の動作の単に1つの実装形態であること、および、ステップが、他の実装形態が可能であるように再配置または他の方法で修正され得ることに留意されたい。
【００９９】
図17は、様々な実施形態による、PDN接続をWWANからWLANにオフロードするべきかどうかを決定するために、オフローダビリティインジケータを利用する方法を示すフローチャート1700を示す。フローチャート1700の機能は、上記で説明したUE115のいずれかによって実施され得る。
【０１００】
ブロック1705において、UEが、UEのPDN接続に対応するオフローダビリティインジケータを受信し得、オフローダビリティインジケータは、UEの動作モードにかかわらずUEによって受信される。ブロック1710において、UEは、PDN接続をWWANからWLANにオフロードするべきかどうかを決定するために、ブロック1705において受信されたオフローダビリティインジケータを利用し得、UEがRAN支援情報を受信するか、またはPDN接続をWWANからWLANにオフロードすることに関するしきい値のセットへのアクセスをUEが有するとき、オフローダビリティインジケータが利用される。ブロック1715において、UEがRAN支援情報を受信していないか、またはオフローディング決定を行う際に使用するためのしきい値のセットへのアクセスをUEが有しないとき、UEはブロック1705において受信されたオフローダビリティインジケータを無視してよい。
【０１０１】
フローチャート1700の方法が、方法の動作の単に1つの実装形態であること、および、ステップが、他の実装形態が可能であるように再配置または他の方法で修正され得ることに留意されたい。
【０１０２】
図18は、様々な実施形態による、オフローダビリティインジケータを送る方法を示すフローチャート1800を示す。フローチャート1800の機能は、上記で説明した基地局105のいずれかによって実施され得る。
【０１０３】
ブロック1805において、基地局が、UEの動作モードを決定し得、ブロック1810において、基地局は、決定に少なくとも部分的に基づいて、PDN接続に対応するオフローダビリティインジケータを送り得る。
【０１０４】
フローチャート1800の方法が、方法の動作の単に1つの実装形態であること、および、ステップが、他の実装形態が可能であるように再配置または他の方法で修正され得ることに留意されたい。
【０１０５】
添付の図面に関連して上記に記載した詳細な説明は、例示的な実施形態を説明し、特許請求の範囲内で実装され得る、または特許請求の範囲内にある実施形態のみを表してはいない。本明細書全体にわたって使用される「例示的」という用語は、「例、実例、または例示として役立つ」ことを意味し、「好ましい」または「他の実施形態よりも有利な」を意味するものではない。詳細な説明は、説明される技法の理解を与える目的で、具体的な詳細を含む。しかしながら、これらの技法は、これらの具体的な詳細を伴わずに実践され得る。場合によっては、説明した実施形態の概念を曖昧にするのを回避するために、よく知られている構造およびデバイスはブロック図の形態で示されている。
【０１０６】
情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光学場もしくは光学粒子、またはそれらの任意の組合せによって表され得る。
【０１０７】
本明細書の開示に関して説明した様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明した機能を実施するように設計されているそれらの任意の組合せを用いて実装または実施されてもよい。汎用プロセッサは、マイクロプロセッサであってよいが、代替として、プロセッサは、任意の従来のプロセッサ、コントローラ、マイクロコントローラ、またはステートマシンあってもよい。プロセッサはまた、コンピューティングデバイスの組合せとして、たとえば、DPSとマイクロプロセッサとの組合せ、複数のマイクロプロセッサ、DSPコアと組み合わされた1つもしくは複数のマイクロプロセッサ、または任意の他のそのような構成として実装されてよい。
【０１０８】
本明細書で説明した機能は、ハードウェア、プロセッサによって実行されるソフトウェア、ファームウェア、またはそれらの任意の組合せで実装されてよい。プロセッサによって実行されるソフトウェアで実装された場合、機能は、1つまたは複数の命令またはコードとしてコンピュータ可読媒体上で記憶また送信されてよい。他の例および実装形態は、本開示および添付の特許請求の範囲の範囲および要旨内にある。たとえば、ソフトウェアの性質に起因して、上記で説明した機能は、プロセッサによって実行されるソフトウェア、ハードウェア、ファームウェア、ハード配線、またはそれらのいずれかの組合せを使用して実装され得る。機能を実装する特徴はまた、機能の一部が異なる物理的ロケーションで実装されるように分散された状態を含め、様々な位置に物理的に位置していてよい。また、特許請求の範囲内を含み本明細書で使用される場合、項目のリスト(たとえば、「少なくとも1つの」または「1つまたは複数の」などという句で始まる項目のリスト)内で使用される「または」は、たとえば、「A、B、またはCのうちの少なくとも1つ」というリストがAまたはBまたはCまたはABまたはACまたはBCまたはABC(すなわち、AおよびBおよびC)を意味するような、選言的リストを示す。
【０１０９】
コンピュータ可読媒体は、コンピュータ記憶媒体と、コンピュータプログラムの1つの場所から別の場所への転送を容易にする任意の媒体を含む通信媒体との両方を含む。ストレージ媒体は、汎用または専用コンピュータによってアクセスされ得る任意の利用可能な媒体であってよい。限定ではなく例として、コンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコード手段を搬送もしくは記憶するために使用することが可能であり、かつ汎用もしくは専用コンピュータまたは汎用もしくは専用プロセッサによってアクセスすることが可能である、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。ディスク(disk)およびディスク(disc)は、本明細書で使用するとき、コンパクトディスク(disc)(CD)、レーザーディスク（登録商標）(disc)、光ディスク(disc)、デジタル多用途ディスク(disc)(DVD)、フロッピーディスク(disk)、およびブルーレイディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１１０】
本明細書で説明する技法は、CDMA、TDMA、FDMA、OFDMA、SC-FDMA、および他のシステムのような様々なワイヤレス通信システムのために使用されてよい。「システム」および「ネットワーク」という用語は、しばしば互換的に使用される。CDMAシステムは、CDMA2000、ユニバーサル地上波無線アクセス(UTRA)などの無線技術を実施し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA（登録商標）)およびCDMAの他の変形態を含む。TDMAシステムは、モバイル通信用グローバルシステム(GSM（登録商標）)などの無線技術を実施し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDMなどの無線技術を実施し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-A、およびGSM（登録商標）は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明する技法は、上述のシステムおよび無線技術、ならびに他のシステムおよび無線技術に使用されてよい。
【０１１１】
本開示の前の説明は、当業者が本開示を作りまたは使用することを可能にするために提供される。本開示に対する様々な修正は、当業者には容易に明らかになり、本明細書で定義された一般原理は、本開示の要旨または範囲から逸脱することなく他の変形形態に適用され得る。本開示全体にわたって、「例」または「例示的」という用語は、例または事例を示すものであり、述べられた例に対する選好を何ら暗示せず、または要求しない。したがって、本開示は、本明細書で説明された例および設計に限定されるべきでなく、本明細書で開示される原理および新規の特徴に合致する最も広い範囲を与えられるべきである。
【符号の説明】
【０１１２】
100  ワイヤレス通信システム
105  基地局
110  カバレージエリア
115  ユーザ機器
125  通信リンク
128  通信リンク
130  コアネットワーク
132  バックホールリンク
134  バックホールリンク
140  WLANアクセスポイント
205  コントローラ
210  ゲートウェイ
235  パケットデータネットワーク
310  受信機
315  オフローディングモジュール
320  送信機
405  RFSPモジュール
410  SIBブロードキャストモジュール
415  NASブロードキャストモジュール
505  しきい値モジュール
605  デフォルトしきい値モジュール
610  前しきい値モジュール
615  SIBしきい値モジュール
620  オフローダビリティインジケータモジュール
705  プロセッサモジュール
715  メモリ
720  ソフトウェア
735  トランシーバモジュール
740  アンテナ
745  バス
805  基地局
820  コントローラ
845  アンテナ
850  トランシーバモジュール
860  通信管理モジュール
865  基地局通信モジュール
870  プロセッサモジュール
875  ネットワーク通信モジュール
880  メモリ
885  ソフトウェアコード
【図１】
0006461197.tif 000002
【図２】
0006461197.tif 000003
【図３】
0006461197.tif 000004
【図４】
0006461197.tif 000005
【図５】
0006461197.tif 000006
【図６】
0006461197.tif 000007
【図７】
0006461197.tif 000008
【図８】
0006461197.tif 000009
【図９】
0006461197.tif 000010
【図１０Ａ】
0006461197.tif 000011
【図１０Ｂ】
0006461197.tif 000012
【図１１Ａ】
0006461197.tif 000013
【図１１Ｂ】
0006461197.tif 000014
【図１２Ａ】
0006461197.tif 000015
【図１２Ｂ】
0006461197.tif 000016
【図１３Ａ】
0006461197.tif 000017
【図１３Ｂ】
0006461197.tif 000018
【図１４Ａ】
0006461197.tif 000019
【図１４Ｂ】
0006461197.tif 000020
【図１５Ａ】
0006461197.tif 000021
【図１５Ｂ】
0006461197.tif 000022
【図１６】
0006461197.tif 000023
【図１７】
0006461197.tif 000024
【図１８】
0006461197.tif 000025